(57)【特許請求の範囲】
【請求項１】
固定部材と該固定部材に対して摺動可能な移動部材とからなる長さ調節可能な部材において、前記固定部材と移動部材とを互いに動かないように位置決めする長さ調節部と、前記移動部材の壁側端部に設けた螺杆と、該螺杆に螺合されるアジャスタとからなり、該アジャスタを前記螺杆に沿って回転させ螺杆上を移動させることで前記移動部材の壁への押圧力を増大させる締め付け部とを備え、長さ調節部及び締め付け部を調節することにより相対向する壁に各部材の外側端部を突っ張らせて設置する壁間への部材の突っ張り固定構造であって、螺杆が挿通された状態で、アジャスタに回転力を伝えられるように係合した位置とアジャスタから離脱しアジャスタとの係合が解除された位置との間で移動可能なハンドルを、前記締め付け部に設け、該ハンドルをアジャスタに係合させて回転することによりアジャスタを螺杆に沿って移動させることを特徴とする壁間への部材の突っ張り固定構造。
【請求項２】
上記締め付け部に、部材の突っ張り状態の緩みを露呈させる緩み表示部を備えたことを特徴とする請求項１記載の壁間への部材の突っ張り固定構造。
【請求項３】
上記ハンドルの外周に螺杆に対して垂直方向に延びる把持部を設けることを特徴とする請求項１記載の壁間への部材の突っ張り固定構造。
【請求項４】
上記部材が、伸縮棚であることを特徴とする請求項１記載の壁間への部材の突っ張り固定構造。
【発明の詳細な説明】
【０００１】
【発明の属する技術分野】
本発明は、突っ張り棒や突っ張り棚など、住宅の部屋の相対する壁間に部材を突っ張らせて固定する構造に関する。
【０００２】
【従来の技術】
従来の突っ張り式伸縮棚の一例として、実開平７−２７３４８号に示されたものがある。
図７の（ａ）に示すように、固定棚部１０１と移動棚部１０２を有する伸縮棚１０３は長さ調節部１０４を有すると共に突っ張り力を増大させる締め付け部１０５を有していた。締め付け部１０５は、図７の（ｂ）のように、伸縮棚１０３の一端に螺杆１０６を設け、螺杆１０６に把持部１０７ａを有するアジャスタ１０７を螺合させて、把持部１０７ａを持ってアジャスタ１０７を回転させると螺杆１０６に対してアジャスタ１０７が移動し、伸縮棚１０３の壁への突っ張りの押圧力を調節できるようになっていた。
【０００３】
【発明が解決しようとする課題】
しかし、このような構造にあっては、伸縮棚１０３を突っ張り切った状態において、把持部１０７ａが棚上面に対して平行にならず伸縮棚１０３の上部側に突出することがあった。その場合には、把持部１０７ａが邪魔になって棚の上に物が置けなくなったり、誤って把持部１０７ａに触れてアジャスタ１０７を逆回転させてしまい、突っ張った状態が緩まり棚が落ちる恐れがあった。
本発明は、上記従来の技術の問題を解決するものであり、突っ張った状態において締め付け部の把持部が邪魔にならないようにすることを目的とする。
【０００４】
【課題を解決するための手段およびその作用・効果】
上記課題を解決するためになされた発明は、固定部材と該固定部材に対して摺動可能な移動部材とからなる長さ調節可能な部材において、前記固定部材と移動部材とを互いに動かないように位置決めする長さ調節部と、前記移動部材の壁側端部に設けた螺杆と、該螺杆に螺合されるアジャスタとからなり、該アジャスタを前記螺杆に沿って回転させ螺杆上を移動させることで前記移動部材の壁への押圧力を増大させる締め付け部とを備え、長さ調節部及び締め付け部を調節することにより相対向する壁に各部材の外側端部を突っ張らせて設置する壁間への部材の突っ張り固定構造であって、螺杆が挿通された状態で、アジャスタに回転力を伝えられるように係合した位置とアジャスタから離脱しアジャスタとの係合が解除された位置との間で移動可能なハンドルを、前記締め付け部に設け、該ハンドルをアジャスタに係合させて回転することによりアジャスタを螺杆に沿って移動させることを特徴とする。
この発明によれば、螺杆が挿通された状態で、アジャスタに回転力を伝えられるように係合した位置とアジャスタから離脱しアジャスタとの係合が解除された位置との間で移動可能なハンドルを、締め付け部のアジャスタに設けたので、締め付けを行う時にはハンドルをアジャスタに係合させてハンドルを回せばアジャスタを容易に移動させることができ、部材の突っ張り力を容易に増大させることができる。また、締め付け後にハンドルをアジャスタから離脱させておけば、うっかりハンドルに触ってしまいアジャスタを逆回転させて突っ張り力を損ない部材が外れるのを防ぐことができ、安心して使用できる。
【０００５】
また、締め付け部に、部材の突っ張り状態の緩みを露呈させる緩み表示部を備えることができる。
この場合には、部材の突っ張り取付け状態に緩みが生じてもすぐに発見できるので、部材が外れるのを未然に防ぐことができる。
【０００６】
さらに、ハンドルの外周に、螺杆に対して垂直方向に延びる把持部を設けることができる。
この場合には、締め付けを行うときに把持部を持って簡単にハンドルを回転させることができる。
【０００７】
さらにまた、部材を伸縮棚とすることができる。
この場合には、部屋の一角にビスを用いずに強固な固定構造を有する棚を設置することができるので、便利である。
【０００８】
【発明の実施の形態】
本発明の実施の形態を、実施例に基づいて説明する。
なお、実施例において、両側端部寄りを基端（部）、中央寄りを先端（部）と表現することとする。
【０００９】
図１に示すように、伸縮棚１は、長さ寸法を調節可能なパイプ棚部２と、パイプ棚部２の下部に取り付けられてその下端が床Ｆに支えられる複数本の脚３と、パイプ棚部２の上方から被せられる棚板４とで構成されている。
【００１０】
パイプ棚部２は、基台部５と、基台部５に対して長さ方向に沿って進退可能とされる副台部６と、パイプ棚部２の長さ寸法を調節する長さ調節部７と、壁への押圧力を増大させる締め付け部８とからなる。
ここで、伸縮棚１が本発明の部材に、基台部５が本発明の固定部材に、副台部６が本発明の移動部材にそれぞれ相当する。
【００１１】
基台部５は、パイプ棚部２の前側及び後側に互いに平行に配置された２本の大径パイプ９と、２本の大径パイプ９の基端部同士を連結する第１固定棚枠１０と、大径パイプ９の先端部同士を連結する第２固定棚枠１１と、大径パイプ９の中間部同士を連結する連結具１２とからなっている。
副台部６は、大径パイプ９の内部に摺動可能な２本の小径パイプ１３と、小径パイプ１３の基端部同士を連結する移動棚枠１４と、基端部が移動棚枠１４に保持されると共に先端部側が第２固定棚枠１１に差し込まれてなる鋼管製の調節用パイプ１５とからなっている。調節用パイプ１５は、中間パイプ１６、螺杆１７、及び中間パイプ１６と螺杆１７とを回転不可能に固着させる連結部材１８とからなる。調節用パイプ１５は、中間パイプ１６が第２固定棚枠１１に挿入されると共に、螺杆１７の基端部側が移動棚枠１４に差し込まれて反対側から袋ナット１９で止められて、移動棚枠１４に対して回転可能な状態に保持されている。また、袋ナット１９により、移動棚枠１４から螺杆が抜けるのを防止している。なお、中間パイプ１６の先端にはパイプエンド２０が取り付けられ、副台部６が基台部５から抜けるのを防止している。
副台部６の小径パイプ１３の先端部側は、第２固定棚枠１１を通して、基台部５の大径パイプ９の内部に挿入され、大径パイプ９同士が摺動可能になっている。それにより基台部５に対して副台部６を摺動させ、パイプ棚部２の長さ寸法を変えることができる。
第２固定棚枠１１には、副台部６の調節用パイプ１５を固定する長さ調節部７が設けられている。
また、調節用パイプ１５の基端部側には、調節用パイプ１５に対して移動棚枠１４を側壁側に押圧させる締め付け部８が設けられている。
【００１２】
ここで、長さ調節部７及び締め付け部８を説明する。
図３に示すように、長さ調節部７は、第２固定棚枠１１において調節用パイプ１５の真下に設けられた孔２１と、その孔２１の内部に設けられた角ナット２２と、角ナット２２にねじ込まれる固定用ねじ２３とから構成される。固定用ねじ２３と角ナット２２とは共回り不能であり、固定用ねじ２３を深くねじ込むとその先が調節用パイプ１５に当接するようになっている。固定用ねじ２３はその先頭が鋭利な形状とされているので、孔２１に深くねじ込むことで調節用パイプ１５を変形させて、調節用パイプ１５が第２固定棚枠１１に対して回転不可能な状態とされると共に進退不可能に固定される。
【００１３】
図２乃至図４に示すように、締め付け部８は、調節用パイプ１５の基端部側に設けられた螺杆１７と、螺杆１７に回転自在に螺合され、螺杆１７に沿って左右に移動可能なアジャスタ２４と、アジャスタ２４を回転させるためにアジャスタ２４に着脱自在とされたハンドル２５と、アジャスタ２４と移動棚枠１４の間に介装されるスプリング２６とから構成される。
アジャスタ２４は、移動棚枠１４に形成されたスカート部２７を外側から覆うカバー部２８と、カバー部２８の先端側のハンドル係止部２９と、ハンドル係止部２９より小径のハンドル受け部３０とを、ＡＢＳ樹脂で一体に形成している。また、アジャスタ２４の中心には螺杆１７に螺合される雌ねじ２４ａが形成されている。
ハンドル係止部２９は、後述するハンドル２５の六角穴部３３が係合する六角形状の外郭を持ち、ハンドル２５を係合して螺杆を中心として回転させるとアジャスタ２４が回転するようになっている。すわなち、アジャスタ２４はハンドル２５を回転させることで螺杆１７に沿って左右（図３の太線矢印方向）に移動するようになっている。
また、ハンドル受け部３０は、円筒の先端から複数のスリット３１を設けた短冊状であり、円筒部にハンドル係止部２９から外したハンドルを保持可能としている。なお、円筒部の先端にはハンドル２５の抜けを防ぐ突起３２を備えている。ただし、必要に応じてスリット３１を圧縮させて突起３２を内方にへこませて、ハンドル２５をアジャスタ２４から抜くことができる。
ハンドル２５は、中央にハンドル係止部２９に係合する六角穴部３３を形成し、その外周にハンドル２５を回転させるときに手で握る把持部３４を螺杆１７に対して垂直方向に２本形成している。アジャスタ２４を回転させるときは、ハンドル係止部２９に係合し、それ以外はハンドル受け部３０に引っ掛けておく。
スプリング２６は、移動棚枠１４のスカート部２７とアジャスタ２４の間に螺杆１７に挿入されて設けられ、移動棚枠１４とアジャスタ２４とを互いに反対方向に押圧している。なお、スプリング２６の両端には、移動棚枠１４及びアジャスタ２４のすり減り防止のために平ワッシャ３５を介在させるのが好ましい。
【００１４】
脚３は、下端部にすべり止めのキャップ３６を被せた円柱状であり、第２固定棚枠１１と連結具１２の下面の略中心に形成された差し込み部３７にその上端部を差し込まれてパイプ棚部２に装着される。
【００１５】
棚板４は、平板の前後辺を下方に曲げた断面逆凹字形状であり、第１固定棚枠１０，移動棚枠１４，第２固定棚枠１１及び連結具１２の上面に載置され、パイプ棚部２の上面及び前面を隠蔽して、パイプ棚部２の上面全体に物が置けるようにしている。
また、棚板４の上面前後縁部に載置物の落下を防ぐ段部４ａを形成している。なお、棚板４と第１固定棚枠１０及び移動棚枠１４とは、図示せぬ係止手段で係止させておくのが好ましい。
【００１６】
次に、伸縮棚１の据付け方法について説明する。
まず、基台部５に脚３を取り付け、伸縮棚１を壁面に沿わせるように設置する。
そして、基台部５から副台部６を引き出し、第１固定棚枠１０の外側端面と移動棚枠１４の外側端面とをそれぞれ相対向する両側壁面に当接させてパイプ棚部２の長さを設置する壁間寸法Ｌに合わせて、長さ調節部７の固定用ねじ２３をねじ込んで副台部６を基台部５に固定して、パイプ棚部２の長さを決める。（図４で示す状態）なお、固定用ねじ２３のねじ込み前に、袋ナット１９と移動棚枠１４の間に余裕隙間ｓを開けておくのが好ましい。
次に、締め付け部８のハンドル２５をアジャスタ２４のハンドル係止部２９に係合させ、把持部３４を掴んでハンドル２５を回しアジャスタ２４を移動棚枠側（基端部側）に移動させる。アジャスタ２４と移動棚枠１４の間にはスプリング２６が介在しているが、その弾性力に抗してハンドル２５を回転させて締め付け部８を締め付けて、アジャスタ２４のカバー部２８が移動棚枠１４のスカート部２７をすべて覆い隠すまで、アジャスタ２４を移動させる。（図３で示す状態）そして、締め付け部８を十分に締め付けたところで、ハンドル係止部２９からハンドル２５を外し、パイプ棚部２の上部に棚板４を被せる。（図３の一点鎖線で示す状態）この場合、第１固定棚枠１０側の棚板４を先に被せ、後から移動棚枠１４側の棚板４を被せる。
以上で、伸縮棚１の取付けは完了する。
【００１７】
さて、伸縮棚１の取付け後数日経つと壁が伸縮棚１の突っ張り力に馴染んでくるため、伸縮棚１に緩みが発生することがある。緩みの原因として、アジャスタ２４が壁から受ける反力によりアジャスタ２４の締め付けが緩む場合や、突っ張りの押圧力により壁自体が変形する場合などが考えられる。
そこで、移動棚枠１４側の棚板４を移動させて、締め付け部８を露出させる。緩みが発生していれば、アジャスタ２４が図３において左方向に移動しているかあるいは余裕隙間ｓの範囲内で移動棚枠１４が図３において右方向に移動していることから、スプリング２６の弾性力によりアジャスタ２４のカバー部２８の端部と移動棚枠１４との間に隙間が生じている。より具体的には、カバー部２８がスカート部２７の全体を覆い隠せずに、スカート部の一部が露出した状態となっている。すなわち、スカート部２７とカバー部２８とで、突っ張り状態の緩みを表示する緩み表示部３８を構成している。
緩み表示部３８が緩みを表示しているときは、再度ハンドル２５をアジャスタ２４のハンドル係止部２９に嵌め込んで係合させ、アジャスタ２４のカバー部２８が移動棚枠１４のスカート部２７をすべて覆い隠すまでハンドル２５を回してアジャスタ２４を移動させて、締め付け部８を締め付ける増し締め作業を行えばいい。
【００１８】
以上に説明した伸縮棚１の設置例を図５に基づいて説明する。
四方を壁Ｗに囲まれたトイレ室Ａの内部に、背部に手洗い器を有する大便器Ｂが設置され、大便器Ｂに座った人からみてトイレ室Ａの左手の壁面に伸縮棚１が設置されている。また、伸縮棚１の下面に紙巻器３９とワイヤーシェルフ４８が取り付けられている。
伸縮棚１の上面の高さは床上７４５ｍｍとされ、大便器Ｂに座った状態で人の手が届きやすい高さになっている。
【００１９】
次に、紙巻器３９を図６に基づいて説明する。
紙巻器３９は、パイプ棚部２の大径パイプ９に係合されるガイド部４０と、ガイド部４０に装着される紙切板４１及び心棒４２とから構成されている。
ガイド部４０は、平板状のベース４３の上面に鉤状の係合部４４を、ベース４３の下面に紙切板４１を回動可能に支持する紙切板支持部４５と、心棒４２がスライド装着される心棒装着部４６を合成樹脂により一体形成している。鉤状の係合部４４は、ベース４３上面の前後端部寄りに外側向きに開いた形態に２個づつ、計４個設けられている。
紙切板４１は、後辺側が紙切板支持部４５に軸支され、前辺側がロール紙Ｐを切断する紙切部４１ａとなっている。
心棒４２は、心棒装着部４６にスライド装着させる支持腕部４７を一端側に有しており、その他端側からロール紙Ｐを装填するようになっている。
【００２０】
紙巻器３９の取付けは、パイプ棚部２の大径パイプ９をたわませて大径パイプ９同士の間隔を広げると共にベース４３上部の係合部４４をたわませて、ベース４３上面と係合部４４とで大径パイプ９を挟み込むようにして取付けられる。
したがって、紙巻器３９は４個の係合部４４により２本の大径パイプ９に渡って係合するので、がたつきがなく強固に取付けられる。また、その設置位置を大径パイプ９に沿って横方向に移動させることも簡単にできる。
さらに、紙巻器３９を壁Ｗに直に取付けないで、壁間に突っ張る伸縮棚１に取付けたので、壁面にねじ孔を開ける必要がない。また、強度が弱くねじ固定が困難な壁Ｗにも紙巻器３９を取付けることができる。
【００２１】
この例においては、壁間に突っ張らせて設置する伸縮棚に紙巻器を取付けたので、トイレ室にビス孔を開けることなく紙巻器を取付けることができるので、アパートのような賃貸住宅にも簡単に設置することができる。
さらに、伸縮棚のパイプに紙巻器を係合させたので、パイプに沿わせて横に移動させることが容易であり、使用者の都合に応じて紙巻器の設置位置を選択できる。
さらにまた、伸縮棚の下部を脚で支えているので、紙巻器のロール紙を強く引っ張っても伸縮棚が落ちることがなく、伸縮棚の上に物を載せても安心して使用できる。
【００２２】
次に、ワイヤーシェルフ４８について説明する。
ワイヤーシェルフ４８は、上部に大径パイプ９への引っ掛け部を備え、後部側の大径パイプ９に引っ掛けられて使用される。
そのため、床Ｆから浮かして、掃除用洗剤やロール紙Ｐの予備分を納めておくのに便利である。
【００２３】
以上説明したように、この実施の形態においては、締め付け部のアジャスタに係脱自在なハンドルを設けたので、締め付けを行う時にはハンドルをアジャスタのハンドル係止部に係合させてハンドルを回せばアジャスタを容易に移動させることができ、部材の突っ張り力を容易に増大させて締め付けを十分に行うことができる。
【００２４】
また、締め付け後にハンドルを外してハンドル受け部に保持させておけば、うっかりハンドルに触ってしまいアジャスタを逆回転させて突っ張り力を損ない部材が外れることを防ぐことができ、安心して使用できる。さらに、ハンドル受け部の先端にはハンドルの抜けを防ぐ突起が形成されているので、増し締め作業をするときにすぐにハンドルを見つけられるので作業性がいい。
さらにまた、通常時にハンドルを外しておけば、パイプ棚部の上面にハンドルの把持部が突出しないため、パイプ棚部の上面に棚板を被せることができ、小さな物でも下に落ちない棚形態とすることができる。
【００２５】
また、締め付け部に、部材の突っ張り状態の緩みを露呈させる緩み表示部を備えるので、部材の突っ張り状態に緩みが生じてもすぐに発見でき、部材が外れるのを未然に防ぐことができる。
【００２６】
さらに、ハンドルの外周に、螺杆に対して垂直方向に延びる把持部を設けたので、締め付けを行うときに把持部を持って簡単にハンドルを回転させることができる。
【００２７】
さらにまた、部材を伸縮棚とすれば、部屋の一角にビスを用いずに強固な固定構造を有する棚を設置することができるので、特に賃貸住宅などに棚のような部材を設置する場合に便利である。
【００２８】
なお、この発明は上記の実施の形態に限られるものではなく、その要旨を逸脱しない範囲において種々の態様において実施することが可能である。
【００２９】
例えば、基台部の２本の大径パイプに代えて１本の異形のパイプとしてもいいし、副台部の小径パイプを省略してもいい。
また、アジャスタはハンドル受け部を備えなくてもいい。
【００３０】
さらに、壁間に突っ張って設置されるハンガー掛けのような伸縮棒や、天井と床の間に突っ張って設置される突っ張りポールのような部材にも本発明を適用することができる。
【図面の簡単な説明】
【図１】本発明の伸縮棚の分解斜視図である。
【図２】図１の伸縮棚の締め付け部を示す分解斜視図である。
【図３】締め付け部を十分に締め付けた状態を示す断面図である。
【図４】締め付け部を締め付ける前の状態を示す断面図である。
【図５】本発明の伸縮棚をトイレ室に設置した状態を示す斜視図である。
【図６】本発明の伸縮棚への紙巻器の取付け構造を示す図であり、（ａ）は正面図、（ｂ）は（ａ）のＸ−Ｘ断面図である。
【図７】従来技術を示す図であり、（ａ）は概略斜視図、（ｂ）は締め付け部を示す拡大斜視図である。
【符号の説明】
１    ・・・  部材（伸縮棚）
５    ・・・  固定部材（基台部）
６    ・・・  移動部材（副台部）
７    ・・・  長さ調節部
８    ・・・  締め付け部
１７  ・・・  螺杆
２４  ・・・  アジャスタ
２５  ・・・  ハンドル
３４  ・・・  把持部
３８  ・・・  緩み表示部
Ｗ    ・・・  壁
【図１】
0003596712.tif 000002
【図２】
0003596712.tif 000003
【図３】
0003596712.tif 000004
【図４】
0003596712.tif 000005
【図５】
0003596712.tif 000006
【図６】
0003596712.tif 000007
【図７】
0003596712.tif 000008